【事件の表示】
　特許第３２０９９１７号「情報処理装置およびプリントサーバ装置および情報処理装置のデータ処理方法およびプリントサーバ装置のデータ処理方法」の請求項１ないし９に係る特許に対する特許異議の申立てについて、次のとおり決定する。
【結　論】
　特許第３２０９９１７号の請求項１ないし９に係る特許を維持する。
【理　由】
１．本件発明
　特許第３２０９９１７号（平成８年３月２９日出願、平成１３年７月１３日設定登録）の請求項１ないし９に係る発明は、それぞれ、その特許請求の範囲の請求項１ないし９に記載された次のとおりのものである。
「　　【請求項１】　所定の通信媒体を介して受信して記憶資源を備えるプリントサーバ装置と通信可能な情報処理装置において、
　前記プリントサーバ装置が印刷した印刷情報に対して作成したイメージ情報データとジョブ名を含む検索情報を取得する取得手段と、
　前記取得手段が取得した前記検索情報に基づいて表示部上に印刷済みの印刷情報をビジュアル検索するためのイメージ画像データを前記ジョブ名と共にプレビュー表示させる表示制御手段と、
　前記表示部に表示されたイメージ画像データに対して再印刷要求を指示する指示手段と、
　前記指示手段による指示を検知して指示中のイメージ画像データに対する再印刷要求を前記プリントサーバ装置に発行する発行手段と、
を具備したことを特徴とする情報処理装置。
　　【請求項２】　前記表示制御手段は、取得した前記検索情報とともに表示部上にイメージ画像データを一覧としてプレビュー表示させることを特徴とする請求項１記載の情報処理装置。
　　【請求項３】　前記所定の通信媒体は、ネットワークインタフェースで構成したことを特徴とする請求項１記載の情報処理装置。
　　【請求項４】　前記所定の通信媒体は、前記プリントサーバ装置とバス接続するインタフェースで構成したことを特徴とする請求項１記載の情報処理装置。
　　【請求項５】　所定の通信媒体を介して情報処理装置から印刷情報を印刷部に転送可能なプリントサーバ装置であって、
　前記情報処理装置から受信した印刷が完了した印刷情報を記憶する記憶手段と、
　前記記憶手段に記憶される前記印刷情報から検索用のイメージ画像データ及びジョブ名を含む検索情報を作成する作成手段と、
　前記作成手段により作成された前記検索用のイメージ画像データ及びジョブ名を含む検索情報を登録する登録手段と、
　前記情報処理装置からの再プリント要求時に、前記登録手段によって登録された前記印刷情報に対応する前記検索情報を前記情報処理装置側に転送する転送手段と、
　前記転送手段による前記検索情報の転送後、前記情報処理装置から発行される再印刷要求に基づいて前記記憶手段に記憶された印刷情報を読み出して前記印刷部で再印刷させる印刷制御手段と、
を有することを特徴とするプリントサーバ装置。
　　【請求項６】　前記所定の通信媒体は、ネットワークインタフェースで構成したことを特徴とする請求項５記載のプリントサーバ装置。
　　【請求項７】　前記所定の通信媒体は、前記プリントサーバ装置とバス接続するインタフェースで構成したことを特徴とする請求項５記載のプリントサーバ装置。
　　【請求項８】　所定の通信媒体を介して受信して記憶資源を備えるプリントサーバ装置と通信可能な情報処理装置のデータ処理方法において、
　前記プリントサーバ装置が印刷した印刷情報に対して作成したイメージ情報データとジョブ名を含む検索情報を取得する取得ステップと、
　前記取得ステップが取得した前記検索情報に基づいて表示部上に印刷済みの印刷情報をビジュアル検索するためのイメージ画像データを前記ジョブ名と共にプレビュー表示させる表示制御ステップと、
　前記表示部に表示されたイメージ画像データに対して再印刷要求を指示する指示ステップと、
　前記指示ステップによる指示を検知して指示中のイメージ画像データに対する再印刷要求を前記プリントサーバ装置に発行する発行ステップと、
を具備したことを特徴とする情報処理装置のデータ処理方法。
　　【請求項９】　所定の通信媒体を介して情報処理装置から印刷情報を印刷部に転送可能なプリントサーバ装置のデータ処理方法であって、
　前記情報処理装置から受信した印刷が完了した印刷情報をメモリに記憶する記憶ステップと、
　前記メモリに記憶される前記印刷情報から検索用のイメージ画像データ及びジョブ名を含む検索情報を作成する作成ステップと、
　前記作成ステップにより作成された前記検索用のイメージ画像データ及びジョブ名を含む検索情報を登録する登録ステップと、
　前記情報処理装置からの再プリント要求時に、前記登録ステップによって登録された前記印刷情報に対応する前記検索情報を前記情報処理装置側に転送する転送ステップと、
　前記転送ステップによる前記検索情報の転送後、前記情報処理装置から発行される再印刷要求に基づいて前記メモリに記憶された印刷情報を読み出して前記印刷部で再印刷させる印刷制御ステップと、
を有することを特徴とするプリントサーバ装置のデータ処理方法。」
　
２．申立の理由の概要
　申立人江原隆彦は、証拠方法として甲第１号証（特開平７−２６１８６８号公報）、甲第２号証（特開平７−２８６８９号公報）を提出し、請求項１〜９に係る発明の特許は特許法第２９条第２項の規定に違反してなされたものであるから、請求項１〜９に係る発明の特許を取り消すべき旨主張している。
　
３．申立人が提出した甲各号証に記載された発明
（Ａ）申立人が提出した甲第１号証には次の技術事項が記載されている。
（ａ１）「【産業上の利用分野】
　本発明は、印刷処理制御とともに課金情報管理又は再出力管理を行う印刷制御装置に関し、特に、印刷対象データ及び制御情報をスプーラに記憶し、受付順序に従って、制御情報を基に印刷データを作成してプリンタに転送する印刷制御装置に関する。」（【０００１】）
（ａ２）「最近の印刷制御装置には、印刷済みの印刷制御ファイル及び印刷対象ファイルをスプーラに保持しておき、再出力指示に応答して、スプーラから該当する印刷制御ファイル及び印刷対象ファイルを検索し、これらから作成した印刷データを再出力する再出力機能を有する場合が多い。」（【００２１】）
（ａ３）「図１に示すように、このネットワークは、ローカルエリアネットワーク（ＬＡＮ）１２に、ワークステーション（ＷＳ）１３及び１４と、プリンタ１１を備えるプリントサーバ１０とが接続されている。」（【００３３】）
（ａ４）「図１に示すように、このプリントサーバ１０は、データ通信部１０ａと、データ制御部１０ｂと、印刷処理実行部１０ｃと、課金処理部１０ｄと、再出力処理部１０ｅと、データ出力部１０ｆと、スプール領域１０ｈを内在するデータ記憶部１０ｇとから構成される。」（【００３８】）
（ａ５）「再出力処理部１０ｅは、必要に応じてＷＳ１３又は１４から送信される再出力指示と、印刷管理ファイル及び印刷対象ファイルに基づいて、新たな印刷データを作成する再出力処理を行う処理部である。」（【００４４】）
（ａ６）「このプリントサーバ１０が、印刷管理ファイルを用いて再出力処理手順について説明する。
  図８は、プリントサーバ１０が行う再出力処理手順を示す図である。
  図８に示すように、データ制御部１０ｂが、データ通信部１０ａを介してＷＳ１３又は１４から印刷対象ファイルの再出力指示を受信すると（Ｓ８０１）、該再出力指示情報に含まれる「出力ファイル名」及び「時刻、日付」等の情報を利用して、スプール領域１０ｈに記憶した印刷管理ファイルを検索して取り出す（Ｓ８０２）。」（【０１１６】【０１１７】【０１１８】）
（ａ７）「印刷処理実行部１０ｃがプリンタ１１の処理が終了したことを確認すると、子プロセスを起動して（Ｓ８０８）印刷処理を開始するとともに、他の印刷処理を禁止するために新たなロックファイルを作成する（Ｓ８０９）。
　次に、起動された子プロセスは、まず前処理プログラムを起動し（Ｓ８１０）、文字コード及び改行コード等の制御コード等のデータ変換を行った後、後処理プログラムを実行する（Ｓ８１１）。
  そして、子プロセスは、この後処理が終了した時点で、処理結果をプリンタ１１に出力し（Ｓ８１２）、ロックファイルを削除する（Ｓ８１３）。」（【０１２４】【０１２５】【０１２６】）
（ａ８）第１図には「本実施例で用いるネットワークの構成と、本発明に係るプリントサーバの細部構成とを示すブロック図」、第８図には「図１に示すプリントサーバ１０が行う再出力処理手順を示すフローチャート」
　
　以上の記載から、甲第１号証には、次の発明（１）（２）が記載されている。
（１）「ローカルエリアネットワーク１２を介して受信してデータ記憶部１０ｇを備えるプリントサーバ１０と通信可能なワークステーション１３において、
　前記プリントサーバ１０が印刷した印刷情報に対して再出力指示情報をプリントサーバ１０に送信する送信手段と、
　を備えたワークステータション１３。」
（２）「ローカルエリアネットワーク１２を介してワークステータション１３から印刷情報をプリンタ１１に転送可能なプリントサーバ１０であって、
　前記ローカルエリアネットワーク１２から受信した印刷が完了した印刷情報を記憶するデータ記憶部１０ｇと、
　前記ワークステータション１３から発行される再出力指示情報に基づいて前記データ記憶部１０ｇに記憶された印刷情報を読み出して前記プリンタ１１で再印刷させる再出力処理部１０ｅと、
を有するプリントサーバ１０。」
　
（Ｂ）申立人が提出した甲第２号証には、その実施例及び図面とこれに関わる記載を参酌すると、次のような発明（１）（２）が記載されている。
（１）「縮小画像とデータ名称を含む検索情報に基づいてディスプレイ上に画像情報を検索するための縮小画像をデータ名称と共に表示させる表示制御手段と、
　前記表示部に表示された縮小画像に対して選択指示する指示手段と、
　前記指示手段による指示を検知して指示された画像データを記憶する手段と、
　を備えた情報処理装置。」
（２）「ディスク４に記憶される画像情報から検索用の縮小画像及びデータ名称を含むブラウジング用データ１３を作成するプリンタドライバ１００３と、
　前記プリンタドライバ１００３により作成された前記検索用の縮小画像及びデータ名称を含むブラウジング用データ１３を登録する登録手段と、
を備えた情報処理装置。」
　
４．対比
（１）請求項１に係る発明について
　請求項１に係る発明と、甲第１号証に記載された発明（１）とを対比する。
　甲第１号証に記載された発明（１）おける「ローカルエリアネットワーク１２」、「データ記憶部１０ｇ」、「プリントサーバ１０」、「ワークステーション１３」、「再出力指示情報」、「送信手段」は、それぞれ、請求項１に係る発明の「所定の通信媒体」、「記憶資源」、「プリントサーバ装置」、「情報処理装置」、「再印刷要求」、「発行手段」に相当する。
　したがって、請求項１に係る発明と甲第１号証に記載された発明（１）とは次の一致点及び相違点を有する。
（一致点）
　「所定の通信媒体を介して受信して記憶資源を備えるプリントサーバ装置と通信可能な情報処理装置において、
　前記プリントサーバ装置が印刷した印刷情報に対して再印刷要求を前記プリントサーバ装置に発行する発行手段と、
を具備した情報処理装置。」
　
（相違点）
（Ａ）請求項１に係る発明は、「プリントサーバ装置が印刷した印刷情報に対して作成したイメージ情報データとジョブ名を含む検索情報を取得する取得手段と、
　前記取得手段が取得した前記検索情報に基づいて表示部上に印刷済みの印刷情報をビジュアル検索するためのイメージ画像データを前記ジョブ名と共にプレビュー表示させる表示制御手段と、
　前記表示部に表示されたイメージ画像データに対して再印刷要求を指示する指示手段」を備え、
「前記指示手段による指示を検知して指示中のイメージ画像データに対する再印刷要求を前記プリントサーバ装置に発行する」ものであるに対し、甲第１号証に記載された発明（１）は、これらの「取得手段」「表示制御手段」「指示手段」を備えておらず、単にプリントサーバ装置が印刷した印刷情報に対して再印刷要求を前記プリントサーバ装置に発行するものである点。
　
（２）請求項５に係る発明について
　請求項５に係る発明と、甲第１号証に記載された発明（２）とを対比する。
　甲第１号証に記載された発明（２）おける「ローカルエリアネットワーク１２」、「ワークステーション１３」、「プリンタ１１」、「プリントサーバ１０」、「データ記憶部１０ｇ」、「再出力指示情報」、「再出力処理部１０ｅ」は、それぞれ、請求項１に係る発明の「所定の通信媒体」、「情報処理装置」、「印刷部」、「プリントサーバ装置」、「記憶手段」、「再印刷要求」、「印刷制御手段」に相当する。
　したがって、請求項５に係る発明と甲第１号証に記載された発明（２）とは次の一致点及び相違点を有する。
（一致点）
「所定の通信媒体を介して情報処理装置から印刷情報を印刷部に転送可能なプリントサーバ装置であって、
　前記情報処理装置から受信した印刷が完了した印刷情報を記憶する記憶手段と、
　前記情報処理装置から発行される再印刷要求に基づいて前記記憶手段に記憶された印刷情報を読み出して前記印刷部で再印刷させる印刷制御手段と、
を有するプリントサーバ装置。」
（相違点）
（Ｂ）請求項５に係る発明には、「記憶手段に記憶される前記印刷情報から検索用のイメージ画像データ及びジョブ名を含む検索情報を作成する作成手段と、
　前記作成手段により作成された前記検索用のイメージ画像データ及びジョブ名を含む検索情報を登録する登録手段と、
　前記情報処理装置からの再プリント要求時に、前記登録手段によって登録された前記印刷情報に対応する前記検索情報を前記情報処理装置側に転送する転送手段」
を有し、
「前記転送手段による前記検索情報の転送後、前記情報処理装置から発行される再印刷要求に基づいて前記記憶手段に記憶された印刷情報を読み出して前記印刷部で再印刷させる」ものであるに対し、甲第１号証に記載された発明（２）は、これらの「作成手段」「登録手段」「転送手段」を有しておらず、単に情報処理装置から発行される再印刷要求に基づいて記憶手段に記憶された印刷情報を読み出して印刷部で再印刷させるものである点。
　
５．当審の判断
（１）請求項１に係る発明について
　上記相違点（Ａ）について検討すると、甲第２号証には、この相違点のうち、画像情報を既に印刷した再印刷すべき印刷情報であるとして「表示制御手段」「指示手段」に相当する構成が記載されている。しかし、「プリントサーバ装置が印刷した印刷情報に対して作成したイメージ情報データとジョブ名を含む検索情報を取得する取得手段」に係る構成は記載ないし示唆されていない。また、当業者における技術常識によっても、この「取得手段」が設計上の事項であるとも認められない。したがって、本件請求項１に係る発明は、上記甲各号証に記載された発明から当業者が容易に想到し得るものではない。
（２）請求項５に係る発明について
　上記相違点（Ｂ）について検討すると、甲第２号証には、この相違点のうち、画像情報を印刷情報であるとして「作成手段」「登録手段」に相当する構成が記載されている。しかし、「情報処理装置からの再プリント要求時に、前記登録手段によって登録された前記印刷情報に対応する前記検索情報を前記情報処理装置側に転送する転送手段」に係る構成は記載ないし示唆されていない。また、当業者における技術常識によっても、この「転送手段」が設計上の事項であるとも認められない。したがって、本件請求項５に係る発明は、上記甲各号証記載の発明から当業者が容易に想到し得るものではない。
（３）請求項２−４、６−７について
　これらの請求項に係る発明は、請求項１または請求項５を引用するものであって、前記した相違点（Ａ）又は（Ｂ）を有するものであるから、上記と同旨の理由により上記甲各号証記載の発明から当業者が容易に想到し得るものではない。
（４）請求項８、９について
　これらの請求項に係る発明は、請求項１、請求項５に係る物の発明を単に方法の発明として記載したものであって、その判断も実質的に請求項１、請求項５に係る発明と同様であるから、上記甲各号証記載の発明から当業者が容易に想到し得るものではない。
　
６．むすび
　したがって、特許異議申立ての理由及び証拠によっては、請求項１ないし９に係る発明の特許を取り消すことはできない。
　また、他に請求項１ないし９に係る発明の特許を取り消すべき理由を発見しない。
　よって、結論のとおり決定する。
【異議決定日】
平成１４年６月１９日（２００２．６．１９）